(57)【特許請求の範囲】
【請求項１】
フロントケースとリヤケースとからなり、該フロントケースと該リヤケースとの間に形成されるキャビテイ内に表示部とスイッチ部とを搭載した基板を収容して、該リヤケースの側から該リヤケースの円筒溝を挿通されたネジが該フロントケースに形成してある孔部に圧入してあるネジ止め用の雌ネジにねじ込まれて、該フロントケースと該リヤケースとが固定され、且つ、該リヤケースの外側面に凹部を有する携帯端末装置において、
該リヤケースは、該凹部を形成する側壁が肉厚に設けられるとともに、前記円筒溝よりも前記側壁の側に位置して該側壁と平行して且つ前記円筒溝を横切らずに間断なく延出した縦リブによって該凹部が電池室とアンテナ室とに区画され、前記縦リブは前記電池室を画成する横リブと一体的に接続されていることを特徴とする携帯端末装置。
【請求項２】
請求項１に記載の携帯端末装置において、
前記スイッチ部に対向した該リヤケースのキャビテイ形成面に、該基板を支持して該基板との導通をとるための導体層が設けられた導通用リブとともにさらに該リヤケースの側壁と平行してリブが設けられて該側壁と該リブとの間に溝部が形成され、
該フロントケースの側壁の先端部が該溝部に緩嵌されてなることを特徴とする携帯端末装置。
【請求項３】
請求項１に記載の携帯端末装置において、
前記ネジ止め用の雌ネジが、該雌ネジの外周面を先細な段差状に形成されるとともに、段差部の上下で多数の傾斜溝が逆方向に形成され、該フロントケースまたは該リヤケースに形成された孔部に圧入されてなることを特徴とする携帯端末装置。
【発明の詳細な説明】
【０００１】
【発明の属する技術分野】
本発明は、携帯端末装置に関し、一層詳細には、薄型化された筐体の補強構造に関する。
【０００２】
【従来の技術】
携帯用電話機に代表される携帯端末は携行の際の利便性のために、軽量化とともに薄型化が追求されている。
【０００３】
【発明が解決しようとする課題】
しかしながら、携帯端末が極端に薄型化されると、落下強度、曲げ強度、ねじり強度等の低下を来し、筐体の損傷を生じるおそれがあり、また、筐体の損傷に至らないまでも筐体内に収容された基板に無理な力がかかり、断線や基板の損傷を生じるおそれがある。このため、従来の携帯端末は薄型化に限界がある。
【０００４】
本発明は上記の点に鑑みてなされたものであり、筐体の剛性を向上させることによりさらなる薄型化を可能とした携帯端末の筐体構造を提供することを目的とする。
【０００５】
【課題を解決するための手段】
本発明に係る携帯端末装置は、フロントケースとリヤケースとからなり、該フロントケースと該リヤケースとの間に形成されるキャビテイ内に表示部とスイッチ部とを搭載した基板を収容して、該リヤケースの側から該リヤケースの円筒溝を挿通されたネジが該フロントケースに形成してある孔部に圧入してあるネジ止め用の雌ネジにねじ込まれて、該フロントケースと該リヤケースとが固定され、且つ、該リヤケースの外側面に凹部を有する携帯端末装置において、
該リヤケースは、該凹部を形成する側壁が肉厚に設けられるとともに、前記円筒溝よりも前記側壁の側に位置して該側壁と平行して且つ前記円筒溝を横切らずに間断なく延出した縦リブによって該凹部が電池室とアンテナ室とに区画され、前記縦リブは前記電池室を画成する横リブと一体的に接続されていることを特徴とする（請求項１に係る発明）。
【０００６】
従来の携帯端末の筐体構造によれば、上記凹部を形成する側壁は薄肉に設けられ、また、アンテナ収容部と電池収容部を区画するリブは長さ方向の途中にネジ止め部等の障害物がある等の理由により不連続に形成されていた。これに対して本発明の上記構成によれば、側壁が肉厚に設けられるとともに、リブが長さ方向に間断なく設けられるため、筐体の剛性が向上し、一層の薄型化を図ることができる。
【０００７】
ここで、側壁が肉厚であるとは、従来、側壁の厚みが０．５ｍｍ〜１．０ｍｍ程度であったものを、本発明においては、１．５ｍｍ〜２．０ｍｍ程度にすることをいう。
また、本発明に係る携帯端末の筐体構造は、フロントケースとリヤケースとからなり、該フロントケースと該リヤケースとの間に形成されるキャビテイ内に表示部とスイッチ部とを搭載した基板を収容する携帯端末の筐体構造において、該スイッチ部に対向した該リヤケースのキャビテイ形成面に、該基板を支持して該基板との導通をとるための導体層が設けられた導通用リブとともにさらに該リヤケースの側壁と平行してリブが設けられて該側壁と該リブとの間に溝部が形成され、該フロントケースの側壁の先端部が該溝部に緩嵌されてなることを特徴とする（請求項２に係る発明）。
【０００８】
従来の携帯端末の筐体構造によれば、基板との導通をとるための導体層を取り付けたリブのみが形成されていた。これに対して本発明の上記構成によれば、基板との導通をとるための導体層が設けられた導通用リブとは別にさらにリブを設けたため、筐体の剛性が向上し、また、フロントケースの側壁の先端部が溝部に緩嵌されてるため、携帯端末を床上に落としたときの衝撃力等のような異常な力が携帯端末に作用した場合に溝部の間隙でフロントケースの側壁の先端部が変形することによって衝撃力が吸収されることにより筐体全体の変形がある程度緩和され、一層の薄型化を図ることができる。
【０００９】
また、本発明に係る携帯端末の筐体構造は、樹脂製のフロントケースとリヤケースとからなり、該フロントケースと該リヤケースとの間に形成されるキャビテイ内に基板を収容して該フロントケースと該リヤケースとをネジ止めしてなる携帯端末の筐体構造において、ネジ止め用の雌ネジが、該雌ネジの外周面を先細な段差状に形成されるとともに、段差部の上下で多数の傾斜溝が逆方向に形成され、該フロントケースまたは該リヤケースに形成された孔部に圧入されてなることを特徴とする（請求項３に係る発明）。
【００１０】
従来の携帯端末の筐体構造によれば、フロントケースまたはリヤケースの孔部に圧入される雌ネジは同一外径を有するストレートな円筒状に形成され、雌ネジの外周面には縦溝や一方向の傾斜溝が形成されていた。これに対して本発明の上記構成によれば、雌ネジは外周面を先細に形成したため、雌ネジを孔部に圧入する作業を容易かつ確実に行うことができ、また、雌ネジの外周面には段差部の上下で逆方向に傾斜溝を形成したため、雄ネジをねじ込みあるいは外す作業を繰り返し行うときにおいても雌ネジが緩んで雄ネジとともに回転してネジ止め作用が損なわれる不具合を生じることがない。したがって、外部からの力を受けても、ネジが緩んで筐体ががたつくことによって筐体の変形が助長されるおそれがないため、一層の薄型化を図ることができる。
【００１１】
【発明の実施の形態】
本発明に係る携帯端末の筐体構造の好適な実施の形態（以下、本実施の形態例という。）について、携帯用電話機を例にとり、図を参照して以下に説明する。
図１に本実施の形態例に係る携帯用電話機の組立分解図を示す。
携帯用電話機１０は、筐体としてのリヤケース１２とフロントケース１４とを備え、リヤケース１２とフロントケース１４との間に形成されるキャビテイ２０、２０内にプリント基板組立体（基板）１６とテンキーパッド１８が配設される構成とされている。プリント基板組立体１６は、液晶表示部（表示部）１６ａとテンキー用スイッチ部（スイッチ部）１６ｂとから構成される。また、図２のリヤケース１２の側面図に示すように、リヤケース１２の裏面（外側面）２２には凹部２４が形成されており、凹部２４内に図示しない電池が配設される。リヤケース１２とフロントケース１４とは、例えば、ＡＢＳ樹脂材料より形成される。
【００１２】
図３のリヤケース１２の背面図に示すように、凹部２４を形成するリヤケース１２の側壁２６ａ、２６ｂは肉厚に形成されており、この場合、約１．５ｍｍの厚みとされている。凹部２４は側壁２６ｂと平行に突設された縦リブ（リブ）２８により電池室３０とアンテナパイプ室（アンテナ室）３２とに区画されている（図５参照）。この縦リブ２８は円筒溝３６よりも側壁２６ａ、２６ｂの側に位置しこの円筒溝３６を横切らずに長さ方向（図３中Ｘ方向）に間断なく形成されるとともに、電池室３０を画成する横リブ３４と接続されて、縦リブ２８と横リブ３４とが一体化されている。なお、縦リブ２８近傍の貫通孔部を有する円筒溝３６はネジを挿通するためのものであり、詳細は後述する。
【００１３】
従来のリヤケースの場合、側壁は、例えば、厚みが０．５ｍｍ〜１．０ｍｍ程度の薄肉であり、また、電池室とアンテナパイプ室とを区画する縦リブは上記横リブと離間し、また、円筒溝の存在によって離隔されて、断続的に延出されている。これに対して本実施の形態例の上記構成によれば、側壁２６ａ、２６ｂが肉厚に設けられるとともに、縦リブ２８が長さ方向に間断なく設けられているため、リヤケース１２の剛性が向上している。また、この場合、縦リブ２８が横リブ３４に接続されて一体的に形成されているため、リヤケース１２の剛性がさらに向上している。
【００１４】
図４のリヤケース１２の正面図に示すように、リヤケース１２のキャビテイ２０は、上記したプリント基板組立体１６の液晶表示部１６ａとテンキー用スイッチ部１６ｂとに対応して、これら液晶表示部１６ａおよびテンキー用スイッチ部１６ｂと対向する位置にそれぞれ液晶表示部収容室３８およびテンキー用スイッチ部収容室４０を構成している。
【００１５】
テンキー用スイッチ部収容室４０を画成するリヤケース１２の側壁４２ａと平行して２条の縦リブ（リブ）４４ａ、縦リブ（導通用リブ）４６ａが、また、側壁４２ｂと平行して２条の縦リブ（リブ）４４ｂ、縦リブ（導通用リブ）４６ｂがそれぞれキャビテイ形成面に図4 中Ｘ方向に延出して立設されている。
縦リブ４４ａ、４４ｂは、側壁４２ａ、４２ｂから垂直に（図4 中Ｙ方向）延出された短尺な横リブ４８ａ、４８ｂならびに貫通孔部が形成された突起５０ｂａ、５０ｂに接続され、さらに、横リブ４８ａ、４８ｂの一端部が縦リブ４６ａ、４６ｂに接続されるとともに他端部が側壁４２ａ、４２ｂに立設された突起５１ｂ（第１図、第４図参照。但し、側壁４２ａに対応する突起は図示せず。）に接続されて、縦リブ４４ａ、４４ｂ、縦リブ４６ａ、４６ｂ、横リブ４８ａ、４８ｂおよび突起５１ｂが一体化されている。ここで、縦リブ４６ａ、４６ｂには図示しない導体層が取付けられ、縦リブ４６ａ、４６ｂ上に戴置されたプリント基板組立体１６のテンキー用スイッチ部１６ｂと導通してアースされる構造とされている。なお、突起５０ｂａ、５０ｂは上記した円筒溝３６を画成する部位がキャビテイ２０形成面に突起として現われたものである。その詳細は後述する。
【００１６】
図１、図５に示すように、縦リブ４４ａ、４４ｂは側壁４２ａ、４２ｂよりも高さ（図５中、Ｚ方向）が大きく、一方、縦リブ４６ａ、４６ｂは側壁４２ａ、４２ｂよりも高さが小さく形成されている。横リブ４８ａ、４８ｂは突起５１ｂと縦リブ４４ａ、４４ｂとの間の部位４８ｂ−２（横リブ４８ａに対応する部位は図示せず。）は縦リブ４４ａ、４４ｂと同じ高さに形成され、一方、縦リブ４４ａ、４４ｂと縦リブ４６ａ、４６ｂとの間の部位４８ｂ−１（横リブ４８ａに対応する部位は図示せず。）は縦リブ４６ａ、４６ｂと同じ高さに形成されている。また、突起５１ｂは横リブ４８ｂの部位４８ｂ−２とほぼ同じ高さに形成されている。
【００１７】
縦リブ４４ａ、４４ｂと側壁４２ａ、４２ｂとの間には、例えば、図５中Ｙ方向に、巾Ｗ１が約１ｍｍの溝部５２ａ、５２ｂが形成されている。そして、筐体組立時にフロントケース１４の先端部１４ａ、１４ｂが溝部５２ａ、５２ｂに挿入されるが、このとき、先端部１４ａ、１４ｂと縦リブ４４ａ、４４ｂとの間には約０．５ｍｍ程度の巾Ｗ２の間隙が形成され、したがって、先端部１４ａ、１４ｂは溝部５２ａ、５２ｂに緩嵌された状態となっている。
【００１８】
従来のリヤケースの場合、プリント基板組立体と導通するための導体層を取付けた縦リブは存在するものの、通常図４中Ｘ方向には断続的に延出されているのみである。また、本実施の形態例のような縦リブ４４ａ、４４ｂ、横リブ４８ａ、４８ｂおよび突起５１ｂは従来設けられていない。したがって、本実施の形態例の上記構成によれば、縦リブ４４ａ、４４ｂが設けられているため、リヤケース１２の剛性が向上している。また、この場合、縦リブ４６ａ、４６ｂが間断なく延出するとともに、縦リブ４４ａ、４４ｂ、縦リブ４６ａ、４６ｂ、横リブ４８ａ、４８ｂおよび突起５１ｂが互いに接続されて一体化されているため、剛性が一層向上している。また、従来の場合、携帯用電話機１０を使用する際の通常の把持力によって筐体からきしみ音を生じることがあるが、本実施の形態例の場合、筐体の剛性が向上しているため、このようなきしみ音を生じる不具合がない。また、溝部５２ａ、５２ｂにフロントケース１４の先端部１４ａ、１４ｂが緩嵌されているため、例えば、図６に示すように、衝撃力等の無理な力（図６中矢印で示す。）が筐体に作用したときに、先端部１４ａ、１４ｂが変形することによってその無理な力が吸収されて筐体の他の部位の変形を緩和することができて好適である。
【００１９】
図７にキャビテイ２０形成面を上に向けた状態のフロントケース１４を示す。プリント基板組立体１６のテンキー用スイッチ部１６ｂと対向するフロントケース１４の部位の四隅には孔部５４ａ〜５４ｄの形成された円柱状突起５６ａ〜５６ｄが立設されている。この孔部５４ａ〜５４ｄは、筐体組立状態において前記した円筒溝３６、すなわち、突起５０ａ、５０ｂ（図１中参照符号５０ａ〜５０ｄで示す。）の貫通孔部（図１中参照符号５８ａ〜５８ｄで示す。）と連通するものである（図１参照）。
【００２０】
図８の円柱状突起５６ａ〜５６ｄの断面図に示すように、孔部５４ａ〜５４ｄは図８中下方の径が小さい段差状に形成されている。孔部５４ａ〜５４ｄには、筐体組立に際して雌ネジ６０が圧入されている。雌ネジ６０の外周は先細な段差状に形成されており、段差部の下部６０ａと上部６０ｂとでは逆方向に傾斜溝（ローレット目）６２ａ、６２ｂが形成されている。雌ネジ６０の上端部にはフランジ面６０ｃが形成されており、雌ネジ６０を孔部５４ａ〜５４ｄに圧入する際、円柱状突起５６ａ〜５６ｄの上端面５６ａ−１〜５６ｄ−１にフランジ面６０ｃが当接し、このとき、雌ネジ６０の先端部６０ｄと孔部５４ａ〜５４ｄの底面５４ａ−１〜５４ｄ−１との間に間隙６４が形成される。
【００２１】
筐体組立時には、リヤカバー１２の凹部２４が形成された側から図示しない雄ネジを貫通孔部５８ａ〜５８ｄに挿通し、雌ネジ６０に螺嵌する。
従来のものでは、雌ネジはストレート（外径が同一）な円筒状に形成されており、雌ネジの外周面には同一方向の傾斜溝または縦溝が形成されている。これに対して本実施の形態例の上記構成によれば、雌ネジ６０は外周面を先細な段差状に形成したため、雌ネジ６０を孔部５４ａ〜５４ｄに圧入する作業を容易かつ確実に行うことができる。また、雌ネジ６０の外周面には段差部の上下で逆方向に傾斜溝６２ａ、６２ｂを形成したため、雄ネジをねじ込みあるいは外す作業を繰り返し行うときにおいても雌ネジ６０が緩んで雄ネジとともに回転してネジ止め作用が損なわれる不具合を生じることがない。したがって、外部からの力を受けても、ネジが緩んで筐体ががたつくことによって筐体の変形が助長されるおそれがない。なお、間隙６４が形成されているため、雌ネジ６０を孔部５４ａ〜５４ｄに圧入する際に発生する樹脂屑は確実に間隙６４に落ち込み、雌ネジ６０が孔部５４ａ〜５４ｄの所定の深さまで進入することを妨げることがない。したがって、雌ネジ６０のフランジ面６０ｃが確実に円柱状突起５６ａ〜５６ｄの上端面５６ａ−１〜５６ｄ−１に密接されるため、雌ネジ６０の孔部５４ａ〜５４ｄ内への進入が不充分となってフランジ面６０ｃが浮きあがった状態で突起５０ａ〜５０ｄに当接することによりリヤケース１２とフロントケース１４との接合状態が不具合となる現象を生じることがない。
【００２２】
上記のように構成される本実施の形態例に係る携帯用電話機１０の筐体構造によれば、筐体の剛性が向上し、また、衝撃力を吸収する構造とされているため、携帯用電話機１０を一層薄型化することができる。
例えば、図９に示すように、携帯用電話機１０の長手方向（図９中Ｘ方向）中央部（図９中Ｔ部）が撓むような所定の力（図９中Ｙ方向の矢印で示す。）を加えた場合にＴ部の厚みが約１４ｍｍある従来のものにおいて撓み量δの撓みを生じるとすると、筐体構造を従来のものと同一のままにして単にＴ部の厚みを約１１．５ｍｍまで薄くすると、撓み量は１．６δ（従来の１．６倍）に増加してしまう。これに対して本実施の形態例に係る筐体構造によれば、Ｔ部の厚みを約１１．５ｍｍと薄くした状態において、従来と同じ撓み量δに抑えることができる。
【００２３】
【発明の効果】
請求項１係る携帯端末の筐体構造によれば、リヤケースの外側面の凹部を形成する側壁が肉厚に設けられるとともに、長さ方向に間断なく設けられたリブによって凹部が電池室とアンテナ室とに区画されるため、筐体の剛性が向上し、一層の薄型化を図ることができる。
【００２４】
また、請求項２に係る携帯端末の筐体構造によれば、スイッチ部に対向したリヤケースのキャビテイ形成面に、導通用リブとともにさらにリヤケースの側壁と平行してリブが設けられて側壁と該リブとの間に溝部が形成され、フロントケースの側壁の先端部が溝部に緩嵌されるため、筐体の剛性が向上し、また、異常な力が携帯端末に作用した場合に衝撃力が吸収されることにより筐体全体の変形がある程度緩和され、一層の薄型化を図ることができる。
【００２５】
また、請求項３に係る携帯端末の筐体構造によれば、フロントケースとリヤケースとをネジ止めするネジ止め用の雌ネジが、雌ネジの外周面を先細な段差状に形成されるとともに、段差部の上下で多数の傾斜溝が逆方向に形成され、フロントケースまたは該リヤケースに形成された孔部に圧入されるため、雌ネジを孔部に圧入する作業を容易かつ確実に行うことができ、また、雄ネジをねじ込みあるいは外す作業を繰り返し行うときにおいても雌ネジが緩んで雄ネジとともに回転してネジ止め作用が損なわれる不具合を生じることがない。
【図面の簡単な説明】
【図１】本実施の形態例に係る携帯用電話機の組立分解図である。
【図２】本実施の形態例に係る携帯用電話機の側面図である。
【図３】本実施の形態例に係る携帯用電話機のリヤケースの背面図である。
【図４】本実施の形態例に係る携帯用電話機のリヤケースの正面図である。
【図５】本実施の形態例に係る携帯用電話機の図２中Ｖ−Ｖ線上断面図である。
【図６】本実施の形態例に係る携帯用電話機に力が作用したときの変形状態を説明するためのものであり、（ａ）は図中右上方向からの力を受けたときの状態を示す図であり、（ｂ）は図中左上方向からの力を受けたときの状態を示す図である。
【図７】本実施の形態例に係る携帯用電話機のフロントケースをキャビテイ形成面を上に向けて示した斜視図である。
【図８】本実施の形態例に係る携帯用電話機のネジ止め用雌ねじをフロントケースの孔部に圧入した状態を説明するための、フロントケースの部分断面図である。
【図９】力を作用させたときの撓み状態を説明するための携帯用電話機の側面図である。
【符号の説明】
１０  携帯用電話機
１２  リヤケース
１４  フロントケース
１６  プリント基板組立体
１６ｂ  テンキー用スイッチ部
２０  キャビテイ
２４  凹部
２６ａ、２６ｂ  側壁
２８、４４ａ、４４ｂ、４６ａ、４６ｂ  縦リブ
３０  電池室
３２  アンテナパイプ室
３４、４８ａ、４８ｂ  横リブ
３６  円筒溝
５０ａ〜５０ｄ  突起
５２ａ、５２ｂ  溝部
５６ａ〜５６ｄ  円柱状突起
６０  雌ネジ
６２ａ、６２ｂ  傾斜溝
【図１】
0003788891.tif 000002
【図２】
0003788891.tif 000003
【図３】
0003788891.tif 000004
【図４】
0003788891.tif 000005
【図５】
0003788891.tif 000006
【図６】
0003788891.tif 000007
【図７】
0003788891.tif 000008
【図８】
0003788891.tif 000009
【図９】
0003788891.tif 000010